(57)【特許請求の範囲】
【請求項１】
短距離無線通信手段と、メモリと、制御手段と、ディスプレイを備える携帯型ブラウザ端末であって、
短距離無線通信手段は、近辺のカラオケ装置と無線交信を可能とし、
メモリは、楽曲識別情報と歌詞データとを対応付けて記憶し、
制御手段は、第１処理、第２処理からなる歌詞表示処理を可能とし、
第１処理は、カラオケ装置から楽曲識別情報を受信し、
第２処理は、演奏の進行に同期して受信する演奏同期情報のタイミングにて、受信した楽曲識別情報に対応する歌詞データに基づき歌詞画像を作成し、逐次ディスプレイに表示する
携帯型ブラウザ端末。
【請求項２】
制御手段は、第３処理〜第５処理よりなるリクエスト処理を可能とし、
第３処理は、利用者により指定される楽曲識別情報をカラオケ装置に送信し、
第４処理は、カラオケ装置から当該楽曲識別情報に対応する歌詞データの有無問い合わせを受信したとき、メモリ内の当該歌詞データの有無を検知し、無い場合には、歌詞データを記憶していない旨をカラオケ装置に送信して歌詞データの所在を示す特定情報を受信し、
第５処理は、受信した特定情報に従って当該歌詞データを取得してメモリに記憶させる
請求項１に記載の携帯型ブラウザ端末。
【請求項３】
短距離無線通信手段と、制御手段を備え、演奏待ち行列に登録された楽曲識別情報に従ってカラオケデータの演奏を行うカラオケ装置であって、
短距離無線通信手段は、近辺の携帯型ブラウザ端末と無線交信を可能とし、
制御手段は、カラオケデータの演奏を行う際、演奏の直前に第６処理を、演奏と並行して第７処理を行い、
第６処理は、演奏するカラオケデータの識別情報を送信し、
第７処理は、演奏の進行に同期した演奏同期情報を送信する
カラオケ装置。
【請求項４】
制御手段は、楽曲識別情報に対応付けられるとともに、当該楽曲識別情報に対応する歌詞データの所在を示す特定情報を記憶するとともに、第８処理、第９処理からなるリクエスト確認処理を行い、
第８処理は、受信した楽曲識別情報を演奏待ち行列に登録するとともに、携帯型ブラウザ端末に当該楽曲識別情報に対応する歌詞データの有無問い合わせを送信し、
第９処理は、歌詞データを記憶していない旨を受信した場合は、当該楽曲識別情報に対応する特定情報を送信する
請求項３に記載のカラオケ装置。
【発明の詳細な説明】
【０００１】
【発明の属する技術分野】
この発明は、カラオケ楽曲の演奏に同期した歌詞を表示するための方法に関し、具体的には、カラオケ装置における楽曲演奏に同期した歌詞を携帯型ブラウザ端末に表示する方法に関する。
【０００２】
【従来の技術】
カラオケ装置は、多数のカラオケ楽曲について、伴奏音楽と歌詞画像の生成起源となるカラオケデータを楽曲番号によって付帯するデータベースに蓄積・管理している。例えば、周知の通信カラオケシステムが扱うカラオケデータは、伴奏音楽の生成起源となるＭＩＤＩデータと、そのＭＩＤＩデータと同期的に処理されて歌詞画像の生成起源となる歌詞描出データとをセットにしたものである。そして、利用者がカラオケ装置に付属するリモコン送信器などを用いて、リクエスト曲の楽曲番号をカラオケ装置に与えると、カラオケ装置は、該当のカラオケデータを処理して伴奏音楽と歌詞画像を同期して音響映像出力する。
【０００３】
歌詞画像を表示するディスプレイは、カラオケ会場の一角に設置されていたり、歌唱用の舞台がある会場では、その舞台に歌唱者専用の小型モニタをマイクスタンドとともに設置したりする。また、歌唱者とその同伴者がともに歌詞画像を見ることができるように、会場の複数箇所にディスプレイを設置する場合もある。
【０００４】
【発明が解決しようとする課題】
カラオケ会場において、ディスプレイは必ずしも歌唱者に見やすい位置にあるとは限らない。例えば、カラオケボックスの客席などでは、歌唱舞台が無く、多数のカラオケ利用者が思い思いの場所に座りながらカラオケを利用する場合が多い。そのため、歌唱者は自分が座っている場所にマイクを回してもらい、その場所からディスプレイを見ることになる。座っている場所によってはディスプレイが死角にあり見づらい場合もある。歌唱者とディスプレイとが遠い場合もある。近視の歌唱者が眼鏡等を忘れた場合には歌詞を確認することができない。
【０００５】
一方、歌唱舞台のあるカラオケ会場においても、歌唱者が動き回りながら・踊りながら歌唱する場合、固定されているディスプレイに表示される歌詞画像は同じく見にくい。
【０００６】
本発明は、カラオケ会場におけるディスプレイの設置環境や歌唱者の視力などに依存することなく、歌詞が確認できるようにすることを目的としている。
【０００７】
【課題を解決するための手段】
本願出願人らは、例えば、ブラウザ機能とＪａｖａ実行環境とを備えた携帯電話機などの携帯型ブラウザ端末を対象として、カラオケデータやそのデータ処理ソフトウエアのダウンロードサービスを提供している。このサービスにより、携帯型ブラウザ端末は通信カラオケシステムの演奏端末として機能するようになり、利用者は、時・場所を選ばずに何時でもカラオケが楽しめるようになる。この携帯型ブラウザ端末を使って歌唱すれば、「カラオケ楽曲を歌唱する際にディスプレイが見にくい」という問題は解決する。しかし、音響設備が整い、同伴者とともにカラオケが楽しめ、より高音質のカラオケ伴奏音楽に合わせて歌唱できるという醍醐味はカラオケ会場でカラオケ装置を使用しなければ味わえない。
【０００８】
この発明は、携帯型ブラウザ端末による快適な歌詞画像の視認性と、カラオケ装置を使用してのカラオケの醍醐味とがともに得られるようにするために創作されたものである。
この発明に係る携帯型ブラウザ端末は、つぎの事項（11）〜（16）により特定されるものである。
（11）短距離無線通信手段と、メモリと、制御手段と、ディスプレイを備える携帯型ブラウザ端末である。
（12）短距離無線通信手段は、近辺のカラオケ装置と無線交信を可能とする。
（13）メモリは、楽曲識別情報と歌詞データとを対応付けて記憶する。
（14）制御手段は、第１処理、第２処理からなる歌詞表示処理を可能とする。
（15）第１処理は、カラオケ装置から楽曲識別情報を受信する。
（16）第２処理は、演奏の進行に同期して受信する演奏同期情報のタイミングにて、受信した楽曲識別情報に対応する歌詞データに基づき歌詞画像を作成し、逐次ディスプレイに表示する。
【０００９】
上記の構成を備えた携帯型ブラウザ端末において、つぎの事項（21）〜（24）を加えて実施することができる。
（21）制御手段は、第３処理〜第５処理よりなるリクエスト処理を可能とする。
（22）第３処理は、利用者により指定される楽曲識別情報をカラオケ装置に送信する。
（23）第４処理は、カラオケ装置から当該楽曲識別情報に対応する歌詞データの有無問い合わせを受信したとき、メモリ内の当該歌詞データの有無を検知し、無い場合には、歌詞データを記憶していない旨をカラオケ装置に送信して歌詞データの所在を示す特定情報を受信する。
（24）第５処理は、受信した特定情報に従って当該歌詞データを取得してメモリに記憶させる。
【００１０】
この発明に係るカラオケ装置は、つぎの事項（31）〜（35）により特定されるものである。
（31）短距離無線通信手段と、制御手段を備え、演奏待ち行列に登録された楽曲識別情報に従ってカラオケデータの演奏を行うカラオケ装置である。
（32）短距離無線通信手段は、近辺の携帯型ブラウザ端末と無線交信を可能とする。
（33）制御手段は、カラオケデータの演奏を行う際、演奏の直前に第６処理を、演奏と並行して第７処理を行う。
（34）第６処理は、演奏するカラオケデータの識別情報を送信する。
（35）第７処理は、演奏の進行に同期した演奏同期情報を送信する。
【００１１】
上記の構成を備えたカラオケ装置において、つぎの事項（41）〜（43）を加えて実施することができる。
（41）制御手段は、楽曲識別情報に対応付けられるとともに、当該楽曲識別情報に対応する歌詞データの所在を示す特定情報を記憶するとともに、第８処理、第９処理からなるリクエスト確認処理を行う。
（42）第８処理は、受信した楽曲識別情報を演奏待ち行列に登録するとともに、携帯型ブラウザ端末に当該楽曲識別情報に対応する歌詞データの有無問い合わせを送信する。
（43）第９処理は、歌詞データを記憶していない旨を受信した場合は、当該楽曲識別情報に対応する特定情報を送信する。
【００１５】
【発明の実施の形態】
本発明はカラオケ装置における楽曲演奏に同期した歌詞を携帯型ブラウザ端末に表示する方法である。本発明の実施例として、ブラウザとＪａｖａ実行環境を実装した携帯電話機（以下、携帯電話機）を携帯型ブラウザ端末とし、ＭＩＤＩデータを処理してカラオケ伴奏音楽を音響出力するタイプのカラオケ装置における楽曲演奏に同期した歌詞を携帯電話機に表示する形態を挙げる。
【００１６】
＝＝＝カラオケ装置＝＝＝
図１は本実施例におけるカラオケ装置の概略構成図を示している。中央制御部２は、内部にＣＰＵ、ＲＡＭ、ＲＯＭを含むマイコンであり、周辺各構成部を制御して、このカラオケ装置１を統括している。ハードディスク装置３は、多数曲分のカラオケ楽曲について、ＭＩＤＩ形式によって記述されたカラオケ伴奏音楽の起源となる音楽生成データと、その楽曲演奏に同期してディスプレイ１４に表示される歌詞画像の生成起源となる歌詞描出データとをカラオケデータとして格納している。また、歌詞画像がスーパーインポーズされるムード映像を指定するための映像台本データも各楽曲に対応付けされている。
【００１７】
中央制御部２は、リモコン送信器５や操作パネル６などのユーザインタフェースにて指定入力されたリクエスト楽曲の楽曲番号（楽曲ＩＤ）を操作制御部７を介して受け取ると、その入力順と楽曲番号とを対応づけてＲＡＭに格納することでこの楽曲の演奏予約処理を行う。そして、その楽曲の演奏順番になると、ハードディスク装置３より該当の音楽生成データ・歌詞描出データ・映像台本データを取り出して処理する。
【００１８】
音楽生成データはシンセサイザ８に順次転送され、ここで生成された伴奏音楽のオーディオ信号とマイクロホン１１から入力されたオーディオ信号はミキシングアンプ９に入力され、その混合オーディオ信号がスピーカ１０に向けて出力される。また、歌詞描出データを処理して伴奏音楽に同期した歌詞文字列を生成する。歌詞描出データは全歌詞文字を適宜な小節ごとに区切って文字列とし、その文字列の表示／消去順序（歌詞描出シーケンス）や文字列の表示位置などの情報と、各文字列の表示／消去タイミングや文字列中の各文字における色変えタイミング（歌唱時機指示）などの各情報をカラオケ楽曲の演奏経過時間と対応付けして記述している。中央制御部２はカラオケ楽曲の演奏を開始すると、その演奏経過時間に基づいて、指定の歌詞文字列を含んだ歌詞画像を指定のタイミングで生成するとともに、その歌詞文字列中の各文字を指定のタイミングで色変えていくような歌詞画像を逐次生成し、その画像をビデオＲＡＭ１２に順次ビットマップ展開していく。
【００１９】
またハードディスク装置３には、歌詞画像の背景として使用されるムード映像の生成起源となる長時間分の映像データも格納されている。本実施例では、短時間分のＭＰＥＧ１形式の映像データをファイルにして、多数のファイルがハードディスク装置３に格納されている。映像台本データは、いつ・どの映像データを復号するのかを記述したデータであり、この例では、カラオケ楽曲の演奏開始時点を起点とした経過時間と、ファイル名とが記載されている。
【００２０】
中央制御部２は、この映像台本データに従って指定のファイルをＭＰＥＧデコーダ１５に順次転送していく。ＭＰＥＧデコーダ１５は、各ファイルに該当する短時間分の映像データを順次復号してアナログ映像信号として出力し、映像制御部１３は、ビデオＲＡＭ１２にビットマップ展開される歌詞画像をＭＰＥＧデコーダ１５が再生する適宜なムード映像の映像信号にスーパーインポーズし、歌詞画像入りのムード映像をディスプレイ１４に表示出力する。
【００２１】
カラオケ装置１は、上述したような基本的な構成によってカラオケ楽曲の演奏動作を行う。さらに、この基本動作に並行して、楽曲演奏に同期した歌詞を携帯電話機に表示するための処理や動作も行う。そのために、本実施例のカラオケ装置１は、携帯電話機２０と無線信号によって通信するためのＢｌｕｅｔｏｏｔｈ規格の通信インタフェース１６を備えている。また、ハードディスク装置３には、各カラオケ楽曲にＵＲＬを対応づけした楽曲／ＵＲＬテーブルが格納されている。
【００２２】
＝＝＝携帯電話機＝＝＝
本実施例の携帯電話機は、ブラウザとＪａｖａ実行環境を実装し、カラオケ装置とＢｌｕｅｔｏｏｔｈ規格の無線信号により通信を行うためのインタフェースを内蔵している。そして、携帯電話機には、カラオケ装置と連携して楽曲演奏に同期した歌詞を表示するための機能（歌詞描出機能）を実現するためのＪａｖａアプリケーションがあらかじめダウンロードされて実装されているものとする。この例では、カラオケ装置に付属のリモコン送信器と同様に、利用者が入力した楽曲番号をＢｌｕｅｔｏｏｔｈにより送信するためのＪａｖａアプリケーション（リモコンソフト）と、このアプリケーションによってリクエストしたカラオケ楽曲がカラオケ装置にて演奏される際に、その楽曲演奏に同期した歌詞を表示するためのＪａｖａアプリケーション（歌詞描出ソフト）とが実装されているものとする。なお、楽曲演奏に同期して表示される歌詞画像の生成起源となる携帯電話機専用に作成された歌詞描出データ（電話機用歌詞データ）は適時にダウンロードされるものとする。本実施例では、インターネット上の所定のＷｅｂサーバーに多数のカラオケ楽曲についての電話機用歌詞データが用意されており、各電話機用歌詞データは、異なるＵＲＬで同定されることとしている。
【００２３】
本実施例において、電話機用歌詞データはカラオケ装置が処理する歌詞描出データと同様に、楽曲番号によって識別され、歌詞描出シーケンスや文字列の表示位置、文字列中の各文字における色変えタイミング（歌唱時機指示）などの各情報を含んでいる。ただし、これらの情報は演奏経過時間に対応付けされていない。その処理順番が時系列的に列挙されている。なお本実施例では、歌詞文字列がスーパーインポーズされる背景画像のビットマップ画像とその表示順序も電話機用歌詞データとして含まれる。
【００２４】
＝＝＝処理の流れ＝＝＝
図２は本実施例における楽曲演奏に同期した歌詞を携帯電話機に表示するためのカラオケ装置側の処理や動作の流れを示している。カラオケ装置はＢｌｕｅｔｏｏｔｈインタフェースにより無線信号を発し、他のＢｌｕｅｔｏｏｔｈ機器が至近にあると、その機器のＩＤ（Ｂｌｕｅｔｏｏｔｈ  ＩＤ）を取得し、他の機器を通信相手（スレーブ機）として認知する。この場合は、携帯電話機を通信相手として認知する（ｓ１）。
【００２５】
利用者が自身の携帯電話機を操作し、リモコンソフトを起動し、リクエスト曲の楽曲番号を無線信号により送信し、カラオケ装置がこれを受信する（ｓ２）。このとき、楽曲番号に引き続いて所定の数字や記号を入力して送信すると、カラオケ装置は、この楽曲番号に携帯電話機に歌詞を表示する旨の符合を付加して、この楽曲番号を演奏処理の待ち行列で管理する（ｓ３）。また、携帯電話機に対し、この符合が付加された楽曲番号に対応する電話機用歌詞データが当該電話機のメモリに記憶されているか否かを問い合わす（ｓ４）。この問い合わせに対し、携帯電話機から電話機用歌詞データを記憶していない旨の情報が送付された場合は、この楽曲番号を先の楽曲／ＵＲＬテーブルに照会し、該当するＵＲＬを携帯電話機に送付する（ｓ５→ｓ６、ｓ７）。携帯電話機はこのＵＲＬを受け取ると、ブラウザを起動しこのＵＲＬを指定してインターネットにアクセスし、該当の電話機用歌詞データをダウンロードする。
【００２６】
利用者は、電話機用歌詞データがダウンロードされたことを確認すると、携帯電話機を操作し、歌詞描出ソフトを起動させておく。カラオケ装置は、携帯電話機から送付された楽曲番号に対応するカラオケ楽曲の演奏順番になると、この楽曲番号を携帯電話機に送付して楽曲の演奏が開始する旨を通知する（ｓ８→ｓ９）。携帯電話機は該当する電話機用歌詞データをメモリから呼び出し、歌詞描出ソフトウエア用のワークエリア上に展開する。
【００２７】
カラオケ装置はリクエスト曲を上述の基本動作に則って演奏する処理と並行して、演奏開始時点を起点として所定時間毎に同期信号をＢｌｕｅｔｏｏｔｈによる無線通信により順次送出する（ｓ１０）。本実施例では１／１００秒程度の間隔で同期信号が送信される。携帯電話機は、この同期信号の受け取り機会毎に電話機用歌詞データの時系列を歩進させていく。すなわち、同期信号の受け取り機会毎に歌詞描出シーケンスに従った歌詞文字列を含んだ歌詞画像を順次生成するとともに、その歌詞文字列中の各文字を歌唱時機指示の情報に指定されている所定の幅で順次色変えていく、また、背景画像も適時に切り替える。このようにして、順次、歌詞画像を生成し、ディスプレイに表示していく。
【００２８】
＝＝＝その他の実施例＝＝＝
カラオケ装置と携帯電話機との無線通信は、上記実施例に限らず、ＩｒＤＡなど他の規格の無線信号によって行ってもよい。
【００２９】
上記実施例では、リクエスト曲の楽曲番号を携帯電話機にて指定し、その際、電話機歌詞データの有無やダウンロードすべきＵＲＬなどをやりとりしていた。もちろん、カラオケ装置に付属するリモコン送信器でリクエスト曲を指定し、電話機歌詞データの有無を利用者が確認し、該当する電話機歌詞データがない場合、利用者が操作して該当のＵＲＬをカラオケ装置に問い合わせればよい。
【００３０】
また、電話機歌詞データはダウンロードに限らず、例えば、メモリーカードスロットを装備した携帯電話機であれば、メモリーカードの形態で提供されることとしてもよい。あるいは、パーソナルコンピュータなどの外部の情報処理装置に電話機歌詞データを蓄積しておき、携帯電話機が備えるデータ入出力端子を介してその電話機歌詞データを情報処理装置から転送することとしてもよい。
【００３１】
ダウンロードできる電話機歌詞データはインターネットに限らず、他の情報通信ネットワーク上にあってもよい。例えば、カラオケ装置がカラオケ店舗のＬＡＮに結合されている場合であれば、そのＬＡＮに接続されているパーソナルコンピュータなどに蓄積しておくこともできる。もちろん、カラオケ装置自体に用意しておき、無線通信によってダウンロードする形態も考えられる。
【００３２】
なお、携帯型ブラウザ端末は、歌詞描出機能が実装されていれば、その機器形態は携帯電話機に限るものではない。
【００３３】
【発明の効果】
本発明によれば、カラオケ装置における楽曲演奏に同期した歌詞画像を携帯型ブラウザ端末に表示させることができる。そのため、歌唱者は、カラオケ装置に付属するディスプレイの設置環境や歌唱者の視力などに依存することなく、歌詞を確認することができる。
【００３４】
携帯型ブラウザ端末に表示させる歌詞画像の起源となる歌詞描出データを情報通信ネットワークよりダウンロードできるようにしておけば、携帯型ブラウザ端末に多数のカラオケ楽曲についての歌詞描出データを用意しておく必要が無く、メモリ容量を節約できる。
【図面の簡単な説明】
【図１】本発明の実施例に適用されるカラオケ装置の機能ブロック図である。
【図２】上記実施例における処理や動作の流れ図である。
【符号の説明】
１    カラオケ装置
２    中央制御部
３    ハードディスク装置
１６  通信インタフェース
２０  携帯電話機
【図１】
0003573424.tif 000002
【図２】
0003573424.tif 000003